(57)【要約】      （修正有）【課題】粘着テープを剥がし易くし簡単に段ボール箱の開梱、封筒の開封ができるようにする積層式シールを提供する。【解決手段】任意の大きさの紙片の裏面の半分以下の任意の面積に剥離しやすい粘着力の弱い接着剤２を塗布し、段ボール箱や封筒に貼れるようにし、また接着剤で複数枚の紙片を積層し連続貼り付け作業をしやすくし、紙片の表面にここから開梱、開封するという表現のイラスト、言葉を印刷、または示唆するイラスト、言葉３を印刷した紙片を設け、粘着テープ剥離用積層開封シール１とする。粘着テープの貼り始めまたは貼り終わる場所に事前にこの開封シールを貼り付けてから、粘着テープで梱包、封緘する。開封シールを引き上げることで簡単に粘着テープを剥がし開梱、開封できる。【選択図】図１
0003225064.tif 000002
【実用新案登録請求の範囲】
【請求項１】
粘着テープで梱包、封緘された段ボール箱や封筒を開梱、開封するさいに粘着テープを剥がしやすくするために、任意の大きさの紙片の裏面に任意の面積に剥離しやすい粘着力の弱い接着剤を塗布した部分と接着剤を塗布しない部分を設け、段ボール箱や封筒に貼れるようにし、また紙片を剥がすさい接着剤を塗布されていない面を持ち上げることで剥がしやすくし、また紙片の裏に塗布した接着剤で複数枚の紙片を積層し持ち運びやすくし、また連続貼り付け作業をしやすくし、紙片の表面にここから開梱、開封するという表現のイラストや言葉を印刷、または示唆するイラストや言葉を印刷した紙片を設けるが、これより前記の紙片を粘着テープ剥離用積層開封シールと呼び、粘着テープ剥離用積層開封シールの表面に梱包、封緘用の粘着テープの貼り出しの先端、または貼り終わりの部分に貼り付け、粘着テープ剥離用積層開封シールを貼り付けた粘着テープで段ボール箱や封筒を梱包、封緘することで顧客等が段ボール箱や封筒を開梱、開封するさい段ボール箱や封筒に貼られた粘着テープ剥離用積層開封シールの接着剤を塗布されていない部分を持ち引き上げることで簡単に粘着テープを剥がせ、また粘着テープ剥離用積層開封シールの別の使い方の一例として、段ボール箱や封筒を梱包、封緘するために段ボール箱や封筒に粘着テープを貼り始める場所または貼り終わる場所に事前に粘着テープ剥離用積層開封シールを貼り付けてから粘着テープ剥離用積層開封シールの上に粘着テープで貼りつけ梱包、封緘することで、顧客等が粘着テープ剥離用積層開封シールの接着剤が塗布されていない面を持ち引き上げることで簡単に粘着テープを剥がせ段ボール箱や封筒を開梱、開封することができることを特長とした粘着テープ剥離用積層開封シール。
【請求項２】
前記、粘着テープ剥離用積層開封シールにおいて、粘着テープ剥離用積層開封シールの積層部分の保護及び粘着テープ剥離用積層開封シールを壁面やテーブル等への取り付けや伸縮面ファスナーのベルトで手首や腕に取り付けられるように面ファスナー、磁石、両面テープなどを取り付けるために粘着テープ剥離用積層開封シールのケースを樹脂や紙で設けたことを特長とする粘着テープ剥離用積層開封シール用のケース。
【請求項３】
前記請求項１において、粘着テープ剥離用積層開封シールの積層部の底面に粘着テープや面ファスナー等の接着、接合材を貼り、壁やテーブル、粘着テープのカッター等に貼り取り付けや伸縮面テープのベルトに取り付けられるように粘着テープ剥離用積層開封シールの底面に接着、接合材を取り付けたことを特長とする粘着テープ剥離用積層開封シール。
【考案の詳細な説明】
【技術分野】
【０００１】  本考案は粘着テープで梱包、封緘した段ボール箱や封筒の粘着テープを剥がしやすくする梱包資材に関する物である。
【背景技術】
【０００２】  一般的な粘着テープは段ボール箱や封筒を梱包、封緘は簡単にできき便利であるが、開梱、開封するときに粘着テープが剥がしにくく開梱、開封には手間がかりカッターで粘着テープを切り開けたり、爪を立て粘着テープの端を引き上げたりし開梱、開封している。
【先行技術分野】
【０００３】  段ボール箱を梱包した粘着テープを剥がし易くするために、粘着テープ両側面の部分に接着剤を塗布しない部分を設け、段ボール箱に粘着テープ両側面の部分に接着剤を塗布しない粘着テープを貼ることで、接着剤を塗布していない部分から粘着テープを引き上げ粘着テープを剥がすという考案の商品がある。
【０００４】また、段ボール箱に粘着テープの貼りはじめ部分と貼り終わり部分に切れ込みを施し指が入るようし貼られた粘着テープを指で引き上げられるように加工した段ボール箱が使用されている。
【考案の概要】
【考案が解決しようとする課題】
【０００５】  本考案は、粘着テープで梱包、封緘された段ボール箱や封筒を開梱、開封するさいに粘着テープを剥がしやすくするための任意の大きさの紙片の裏面の半分以下の任意の面積に剥離しやすい粘着力の弱い接着剤を塗布し、段ボール箱や封筒に貼れるようにし、また紙片に塗布した接着剤で複数枚の紙片を積層し持ち運びやすくしまた連続貼り付け作業をしやすくし、紙片の表面にここから開梱、開封するという表現のイラスト、言葉を印刷、または示唆するイラスト、言葉を印刷した紙片を設けるが、これより前記紙片を粘着テープ剥離用積層開封シールと呼び、粘着テープ剥離用積層開封シールの裏面に接着剤を塗布されている側の表面に粘着テープの貼り出し口の先端、または貼り終わりの部分に粘着テープ剥離用積層開封シールを貼り付けた粘着テープで段ボール箱や封筒を梱包、封緘することで粘着テープ剥離用積層開封シールを持ち引き上げることで簡単に粘着テープを剥がせ、また段ボール箱や封筒を梱包、封緘するために段ボール箱や封筒に粘着テープを貼り始める場所または貼り終わる場所に事前に粘着テープ剥離用積層開封シールを貼り付けてから、粘着テープ剥離用積層開封シールの上に粘着テープの貼り始めまたは張り終わり部分を貼り梱包、封緘することで、粘着テープ剥離用積層開封シールを持ち引き上げることで簡単に粘着テープを剥がせ顧客等が段ボール箱や封筒を開梱、開封するときに粘着テープ剥離用積層開封シールを引き上げることで粘着テープを簡単に剥がせるようにする。【０００６】また、粘着テープ剥離用積層開封シールにおいて、粘着テープ剥離用積層開封シールを段ボール箱の梱包作業で使い易く手元に置くために手首、腕や足に取り付けられるように粘着テープ剥離用積層開封シールを入れるケースと伸縮面ファスナーを取り付け梱包作業の効率を図る。【０００７】また、粘着テープ剥離用積層開封シールにおいて、粘着テープ剥離用積層開封シールを段ボール箱や封筒の梱包、封緘作業で使い易く手元に置くために、粘着テープ剥離用積層開封シールを入れるケース設け粘着テープのカッター付きホルダーに取り付け梱包、封緘作業の効率を図る。【０００８】また、粘着テープ剥離用積層開封シールの積層部一番下の紙の裏面に粘着テープを貼り、壁やテーブル、粘着テープ用のカッター台等に貼り取り付け使い勝手を良くする。
【課題を解決するための手段】
【０００９】粘着テープ剥離用積層開封シールの表面にここから開梱、開封するということを示唆するイラスト、言葉を印刷し、裏面の一部に接着剤を塗布した粘着テープ剥離用積層開封シールを設け、表面に粘着テープの貼り出し口の先端、または貼り終わりの部分に附箋を貼り付けた粘着テープで段ボール箱や封筒を梱包、封緘することで、段ボール箱や封筒を開梱、開封するときに粘着テープ剥離用積層開封シールを引き上げるとで粘着テープが簡単に剥がせ、またシールの裏面に塗布した接着剤でシールを複数枚の積層にできるようにし持ち運びやすくする。【００１０】また、段ボール箱や封筒を梱包、封緘するために段ボール箱や封筒に粘着テープを貼り始める場所または貼り終わる場所に事前に粘着テープ剥離用積層開封シールにを貼り付けてから、粘着テープ剥離用積層開封シールの上に粘着テープの貼り始めまたは張り終わり部分を貼り梱包、封緘することで、粘着テープ剥離用積層開封シールの接着剤が塗布されていない面を持ち引き上げることで簡単に粘着テープを剥がせる。【００１１】また粘着テープ剥離用積層開封シールを段ボール箱の梱包作業で使い易くするために手首、腕や足に取り付けられるように粘着テープ剥離用積層開封シールを入れるケースの裏面に面ファスナーを取り付ける。【００１２】また粘着テープ剥離用積層開封シールを段ボール箱や封筒の梱包、封緘作業で使い易くするために、粘着テープのカッター付きホルダーに粘着テープ剥離用積層開封シールを入れるケースに面ファスナーを取り付けカッター付きホルダーに面ファスナーを両面テープで貼る【００１２】また、粘着テープ剥離用積層開封シールの積層部一番下の紙の裏面に粘着テープを貼り付ける。
【考案を実施するための形態】
【００１３】  以下、本考案の実施形態の一例を図面に基づき詳細に説明する。粘着テープ剥離用積層開封シール１の裏面に半分以下の任意の面積に剥離しやすい粘着力の弱い接着剤２を塗布し、段ボール箱や封筒に貼れるようにし、また粘着テープ剥離用積層開封シールを剥がすさい接着剤を塗布されていない面を持ち上げ剥がしやすくし、また粘着テープ剥離用積層開封シールに塗布した接着剤で複数枚を積層し持ち運びやすくし、また連続貼り付け作業をしやすくし、さらに粘着テープ剥離用積層開封シールの表面にここから開梱、開封するという示唆するイラスト３、言葉を印刷する。
【００１４】また、粘着テープ剥離用積層開封シール４の積層部分の保護及び粘着テープ剥離用積層開封シールを壁面やテーブルに面ファスナー、磁石、両面テープなどで取り付けやすくするために、粘着テープ剥離用積層開封シールの裏面及び側面の４方を取り囲むような形状、一部の粘着テープ剥離用積層開封シールを指で引き上げる部分をのぞいたケース５を設ける。
【００１５】また、梱包作業の効率化をはかるために粘着テープ剥離用積層開封シール４を手や足に取り付けられるようにするために伸縮面ファスナーベルトに粘着テープ剥離用積層開封シールケース５を取り付けられるように面ファスナー５を取り付ける。
【００１６】また、梱包作業の効率化をはかるために粘着テープ剥離用積層開封シール１を入れたケース５の裏面に面ファスナーを取り付け、粘着テープのカッターホルダー７に面ファスナーを両面テープで取り付ける。
【００１６】また、粘着テープ剥離用積層開封シール１の積層部一番下の紙の裏面に粘着テープを貼り、壁やテーブル、粘着テープのカッター台等に貼り付け取り付けられるように粘着テープ剥離用積層開封シールの底面に粘着テープを取り付ける。
【考案の効果】
【００１７】本考案は、粘着テープ剥離用積層開封シールの表面に粘着テープの貼り出しの先端、または貼り終わりの部分に一枚の粘着テープ剥離用積層開封シールを貼り付け、粘着テープ剥離用積層開封シールを貼り付けた粘着テープで段ボール箱や封筒を梱包、封緘することで、顧客等が段ボール箱や封筒を開梱、開封するときに段ボール箱や封筒に貼られた粘着テープ剥離用積層開封シールの接着剤の塗布されていない部分を持ち引き上げることで粘着テープを簡単に剥がせ段ボール箱の開梱、封筒の開封ができる。
【００１８】また、段ボール箱や封筒を梱包、封緘するために段ボール箱や封筒に粘着テープを貼り始める場所または貼り終わる場所に事前に粘着テープ剥離用積層開封シールを貼り付けてから、粘着テープ剥離用積層開封シールの上に粘着テープの貼り始めまたは張り終わり部分を貼り梱包、封緘することで、顧客等が粘着テープ剥離用積層開封シールの接着剤が塗布されていない面を持ち引き上げることで簡単に粘着テープを剥がせ段ボール箱の開梱、封筒の開封ができる。
【００１９】また、粘着テープ剥離用積層開封シールを装着するケースを設け、粘着テープ剥離用積層開封シールの積層部分の保護及び粘着テープ剥離用積層開封シールを壁面やテーブルに面ファスナー、磁石、両面テープなどで取り付けやすくするために、粘着テープ剥離用積層開封シールの側面の四方と裏面を取り囲むような形状、一部附箋を指で引き上げる部分は囲まないケースを設けことで粘着テープ剥離用積層開封シールの使い勝手が良くなる。
【００２０】また、粘着テープ剥離用積層開封シールを段ボール箱の梱包作業で使い易く手元に置くために粘着テープ剥離用積層開封シール用ケースに面ファスナーを取り付け伸縮面ファスナーベルトに取り付け、手首、腕や足に取り付けることで梱包作業の効率を図ることが出来る。
【００２１】また、粘着テープ剥離用積層開封シールを段ボール箱や封筒の梱包、封緘作業で使い易く手元に置くために粘着テープ剥離用積層開封シール用ケースに粘着テープのカッター付きホルダーケースに取り付けることで梱包、封緘作業の効率をはかることが出来る。
【００２２】また、粘着テープ剥離用積層開封シール１の積層部一番下の紙の裏面に粘着テープを貼り、壁やテーブル、粘着テープのカッター台等に貼り付け取り付けられるようにすることで作業効率が良くなる。
【図面の簡単な説明】
【００１９】
【図１】図１は本考案にかかる粘着テープ剥離用積層開封シールの具体的な実施例の１例で、一部分は上の一枚の裏側のを示す正面図である。
【図２】図２は本考案にかかる粘着テープ剥離用積層開封シールの具体的な実施例の１例を示す斜視図である。
【図３】図２は本考案にかかる粘着テープ剥離用積層開封シールにケースを装着した具体的な実施例の１例を示す斜視図である。
【図４】図４は本考案にかかる粘着テープ剥離積層開封用シールを入れるケースとケースに取り付けた伸縮面テープの具体的な実施例の１例を示す斜視図である。
【図５】図５は本考案にかかる粘着テープ剥離用積層開封シールをケースに入れ、粘着テープのカッターホルダーに取り付けた具体的な実施例の１例を示す斜視図である。
【図６】図６は本考案にかかる粘着テープ剥離用積層開封シールの一枚を粘着テープと共に段ボール箱に貼り付けた具体的な実施例の１例を示す斜視図である。
【符号の説明】
【００２０】１  粘着テープ剥離用積層開封シール
２  粘着テープ剥離用積層開封シール裏面に塗布した接着剤
３  開封、開梱を示唆するイラスト及び言葉
４  粘着テープ剥離用積層開封シールの積層部分
５  粘着テープ剥離用積層開封シール用ケース
６  伸縮面テープ
７  粘着テープカッターホルダー
８  粘着テープ
９  段ボール箱
【図１】
0003225064.tif 000003
【図２】
0003225064.tif 000004
【図３】
0003225064.tif 000005
【図４】
0003225064.tif 000006
【図５】
0003225064.tif 000007
【図６】
0003225064.tif 000008
【手続補正書】
【提出日】令和1年6月10日(2019.6.10)
【手続補正１】
【補正対象書類名】実用新案登録請求の範囲
【補正対象項目名】全文
【補正方法】変更
【補正の内容】
【実用新案登録請求の範囲】
【請求項１】
粘着テープで梱包、封緘された段ボール箱や封筒を開梱、開封するさいに粘着テープを剥がしやすくするために、任意の大きさの紙片の裏面に任意の面積に剥離しやすい粘着力の弱い接着剤を塗布した部分と接着剤を塗布しない部分を設け、段ボール箱や封筒に貼れるようにし、また紙片を剥がすさい接着剤を塗布されていない面を持ち上げることで剥がしやすくし、また紙片の裏に塗布した接着剤で複数枚の紙片を積層し持ち運びやすくし、また連続貼り付け作業をしやすくし、紙片の表面にここから開梱、開封するという表現のイラストや言葉を印刷、または示唆するイラストや言葉を印刷した紙片を設けるが、これより前記の紙片を積層したものを積層シールと呼び、積層シールから剥がした一枚積層シールの表面に梱包、封緘用の粘着テープの貼り出しの先端、または貼り終わりの部分に貼り付け、一枚の積層シールを貼り付けた粘着テープで段ボール箱や封筒を梱包、封緘することで顧客等が段ボール箱や封筒を開梱、開封するさい段ボール箱や封筒に貼られた一枚の積層シールの接着剤を塗布されていない部分を持ち引き上げることで簡単に粘着テープを剥がせ、また積層シールの別の使い方の一例として、段ボール箱や封筒を梱包、封緘するために段ボール箱や封筒に粘着テープを貼り始める場所または貼り終わる場所に事前に一枚の積層シールを貼り付けてから積層シールの上に粘着テープで貼りつけ梱包、封緘することで、顧客等が積層シールの接着剤が塗布されていない面を持ち引き上げることで簡単に粘着テープを剥がせ段ボール箱や封筒を開梱、開封することができることを特長とした積層シール。
【請求項２】
前記、積層シールにおいて、積層シールの積層部分の保護及び積層シールを壁面やテーブルへの取り付けや伸縮面ファスナーのベルトで手首や腕に取り付けられるように面ファスナー、磁石、両面テープを取り付けるために積層シールのケースを樹脂や紙で設けたことを特長とする積層シール用のケース。
【請求項３】
前記請求項１において、積層シールの積層部の底面に粘着テープや面ファスナーの接着、接合材を貼り、壁やテーブル、粘着テープのカッターに貼り取り付けや伸縮面テープのベルトに取り付けられるように積層シールの底面に接着、接合材を取り付けたことを特長とする積層シール。
【手続補正書】
【提出日】令和1年8月23日(2019.8.23)
【手続補正１】
【補正対象書類名】実用新案登録請求の範囲
【補正対象項目名】全文
【補正方法】変更
【補正の内容】
【実用新案登録請求の範囲】
【請求項１】
粘着テープで梱包、封緘された段ボール箱や封筒を開梱、開封するさいに粘着テープを剥がしやすくするために、任意の大きさの紙片の裏面に任意の面積に剥離しやすい粘着力の弱い接着剤を塗布した部分と接着剤を塗布しない部分を設け、段ボール箱や封筒に貼れるようにし、また紙片を剥がすさい接着剤を塗布されていない面を持ち上げることで剥がしやすくし、また紙片の裏に塗布した接着剤で複数枚の紙片を積層し持ち運びやすくし、また連続貼り付け作業をしやすくし、紙片の表面にここから開梱、開封するという表現のイラストや言葉を印刷、または示唆するイラストや言葉を印刷した紙片を設けるが、これより前記の紙片を積層したものを積層シールと呼び、積層シールから剥がした一枚積層シールの表面に梱包、封緘用の粘着テープの貼り出しの先端、または貼り終わりの部分に貼り付け、一枚の積層シールを貼り付けた粘着テープで段ボール箱や封筒を梱包、封緘することで顧客等が段ボール箱や封筒を開梱、開封するさい段ボール箱や封筒に貼られた一枚の積層シールの接着剤を塗布されていない部分を持ち引き上げることで簡単に粘着テープを剥がせ、また積層シールの別の使い方の一例として、段ボール箱や封筒を梱包、封緘するために段ボール箱や封筒に粘着テープを貼り始める場所または貼り終わる場所に事前に一枚の積層シールを貼り付けてから積層シールの上に粘着テープで貼りつけ梱包、封緘することで、顧客等が積層シールの接着剤が塗布されていない面を持ち引き上げることで簡単に粘着テープを剥がせ段ボール箱や封筒を開梱、開封することができるように紙片の裏面に任意の面積に剥離しやすい粘着力の弱い接着剤を塗布した部分と接着剤を塗布しない部分を設けた紙片を任意の複数枚を重ねあわせて積層式にし、紙片の表面に開封を示唆する言葉、イラストを印刷したことを特長とした積層式シール。
【請求項２】
前記積層式シールにおいて、積層シールの積層部分の保護及び積層シールを壁面やテーブルへの取り付けや伸縮面ファスナーのベルトで手首や腕に取り付けられるように面ファスナー、磁石、両面テープを取り付けるために積層シールのケースを樹脂や紙で設けたことを特長とする積層シール用のケース。
【請求項３】
前記請求項１記載の、積層式シールの積層部の底面に粘着テープや面ファスナーの接着、接合材を貼り、壁やテーブル、粘着テープのカッターに貼り取り付けや伸縮面テープのベルトに取り付けられるように積層シールの底面に接着、接合材を取り付けたことを特長とする積層式シール。
【手続補正書】
【提出日】令和1年11月14日(2019.11.14)
【手続補正１】
【補正対象書類名】実用新案登録請求の範囲
【補正対象項目名】全文
【補正方法】変更
【補正の内容】
【実用新案登録請求の範囲】
【請求項１】
粘着テープで梱包、封緘された段ボール箱や封筒を開梱、開封するさいに粘着テープを剥がしやすくするために、任意の大きさの紙片の裏面に任意の面積に剥離しやすい粘着力の弱い接着剤を塗布した部分と接着剤を塗布しない部分を設け、段ボール箱や封筒に貼れるようにし、また紙片を剥がすさい接着剤を塗布されていない面を持ち上げることで剥がしやすくし、また紙片の裏に塗布した接着剤で複数枚の紙片を積層し持ち運びやすくし、また連続貼り付け作業をしやすくし、紙片の表面にここから開梱、開封するという表現のイラストや言葉を印刷、または示唆するイラストや言葉を印刷した紙片を設けるが、これより前記の紙片を積層したものを積層シールと呼び、積層シールから剥がした一枚積層シールの表面に梱包、封緘用の粘着テープの貼り出しの先端、または貼り終わりの部分に貼り付け、一枚の積層シールを貼り付けた粘着テープで段ボール箱や封筒を梱包、封緘することで顧客等が段ボール箱や封筒を開梱、開封するさい段ボール箱や封筒に貼られた一枚の積層シールの接着剤を塗布されていない部分を持ち引き上げることで簡単に粘着テープを剥がせ、また積層シールの別の使い方の一例として、段ボール箱や封筒を梱包、封緘するために段ボール箱や封筒に粘着テープを貼り始める場所または貼り終わる場所に事前に一枚の積層シールを貼り付けてから積層シールの上に粘着テープで貼りつけ梱包、封緘することで、顧客等が積層シールの接着剤が塗布されていない面を持ち引き上げることで簡単に粘着テープを剥がせ段ボール箱や封筒を開梱、開封することができるように紙片の裏面に任意の面積に剥離しやすい粘着力の弱い接着剤を塗布した部分と接着剤を塗布しない部分を設けた紙片を任意の複数枚を重ねあわせて積層式にし、紙片の表面に開封を示唆する言葉、イラストを印刷したことを特長とした積層式シール。
【請求項２】
請求項１記載の積層式シールのためのケースであって、積層シールの積層部分の保護及び積層シールを壁面やテーブルへの取り付けや伸縮面ファスナーのベルトで手首や腕に取り付けられるように面ファスナー、磁石、両面テープを取り付けるために積層シールを樹脂や紙で設けたことを特長とする積層シール用のケース。
【請求項３】
前記請求項１記載の積層式シールにおいて、積層部の底面に粘着テープや面ファスナーの接着、接合材を貼り、壁やテーブル、粘着テープのカッターに貼り取り付けや伸縮面テープのベルトに取り付けられるように積層シールの底面に接着、接合材を取り付けたことを特長とする積層式シール。